(57)【要約】【課題】通常は、車室内に配置された座席のシートバックの汚れを防止すると共に、そのシートバックに傷が付けられることを防止でき、緊急事態の発生時には、緊急医療キットとしての機能を果たすことのできるシートカバーを提案する。【解決手段】シートカバー２は、通常、座席１のシートバック３の背面に保持されている。緊急事態の発生時には、シートカバー２をシートバック３から外し、そのシートカバー２のカバー本体部８に枢着された開閉蓋１６を開いて、その内部に収容された医療用具によって負傷者に対する応急手当を施す。【選択図】図２
2010148601.tif 000002
【特許請求の範囲】
【請求項１】
応急手当用の医療用具を収容する用具収納部を備えていて、車室内に配置された座席のシートバックの背面に離脱可能に取り付けられる自動車用のシートカバー。
【請求項２】
前記用具収納部が設けられているカバー本体部と、シートバック上部の取付孔に差し込まれたヘッドレスト取付用のステーよりも車幅方向外方の各シートバック上面部分にそれぞれ当接するように前記カバー本体部から突出した一対の上側舌部と、前記シートバックの車幅方向各側面にそれぞれ当接できるように前記カバー本体部から突出した一対の下側舌部とを有し、前記各上側舌部が各シートバック上面部分にそれぞれ当接し、かつ前記各下側舌部がシートバックの前記各側面にそれぞれ当接することによって、シートカバーがシートバックに離脱可能に取り付けられる請求項１に記載の自動車用のシートカバー。
【請求項３】
前記一対の上側舌部とカバー本体部とに一体に連結された樹脂シートを有し、前記ヘッドレスト取付用のステーは、前記樹脂シートを貫通して延びていて、シートカバーをシートバックの後方側に引いて該シートカバーをシートバックから取り外すとき、前記樹脂シートが前記ステーから受ける外力によって破断するように、当該樹脂シートの厚さとその材質が設定されている請求項２に記載の自動車用のシートカバー。
【請求項４】
シートバックから外したシートカバーを背負ったとき、前記各上側舌部がシートカバーを背負った人の肩に載り、かつ前記各下側舌部がシートカバーを背負った人の脇腹に当接するように、前記上側舌部と下側舌部が形成されている請求項２又は３に記載の自動車用のシートカバー。
【請求項５】
前記各上側舌部に引き出し可能に収納された一対のベルトと、各上側舌部から引き出された前記各ベルトの先端部を、前記各下側舌部に着脱可能に連結する連結手段とを有し、シートバックから外したシートカバーを背負ったとき、前記連結手段によって、各上側舌部から引き出された各ベルトの先端部を各下側舌部にそれぞれ連結して、該シートカバーを背負った人が当該シートカバーを保持する請求項４に記載の自動車用のシートカバー。
【発明の詳細な説明】
【技術分野】
【０００１】
本発明は、緊急事態の発生時に、車室内において即座に医療用具を取り出して負傷者に対する応急手当を施すことの可能なシートカバーに関する。
【背景技術】
【０００２】
自らが運転する自動車や、他の自動車が事故を起こしたとき、負傷者に対する応急手当を施すことができるように、応急手当用の医療用具を収容した緊急医療キットを自動車に搭載しておくことは従来より周知である。ところが、このような緊急医療キットを車室内に置いておくと、これが邪魔となるため、一般に緊急医療キットを車体後部のラゲージルーム内に収容しておくことが多かった。このため、緊急事態の発生時に、緊急医療キットを即座に取り出して使用することは容易ではなかった。
【０００３】
一方、自動車の車室内に配置された座席をシートカバーによって覆うことも従来より広く行われている（特許文献１参照）。ところが、従来のシートカバーは、専ら座席の汚れを防止したり、その座席に傷が付けられることを防止するなどの目的で使用されるにすぎぬものであった。
【０００４】
【特許文献１】特開平９−２３８７８５号公報
【発明の開示】
【発明が解決しようとする課題】
【０００５】
本発明は、上述した認識に基づきなされたものであって、その目的とするところは、緊急事態の発生時に、車室内において即座に医療用具を取り出して負傷者に対する応急手当を施すことの可能なシートカバーを提供することにある。
【課題を解決するための手段】
【０００６】
本発明は、応急手当用の医療用具を収容する用具収納部を備えていて、車室内に配置された座席のシートバックの背面に離脱可能に取り付けられる自動車用のシートカバーを提案する。
【０００７】
その際、上記シートカバーが、前記用具収納部が設けられているカバー本体部と、シートバック上部の取付孔に差し込まれたヘッドレスト取付用のステーよりも車幅方向外方の各シートバック上面部分にそれぞれ当接するように前記カバー本体部から突出した一対の上側舌部と、前記シートバックの車幅方向各側面にそれぞれ当接できるように前記カバー本体部から突出した一対の下側舌部とを有し、前記各上側舌部が各シートバック上面部分にそれぞれ当接し、かつ前記各下側舌部がシートバックの前記各側面にそれぞれ当接することによって、シートカバーがシートバックに離脱可能に取り付けられると有利である。
【０００８】
また、上記シートカバーは、前記一対の上側舌部とカバー本体部とに一体に連結された樹脂シートを有し、前記ヘッドレスト取付用のステーは、前記樹脂シートを貫通して延びていて、シートカバーをシートバックの後方側に引いて該シートカバーをシートバックから取り外すとき、前記樹脂シートが前記ステーから受ける外力によって破断するように、当該樹脂シートの厚さとその材質が設定されていると有利である。
【０００９】
さらに、上記シートカバーにおいて、シートバックから外したシートカバーを背負ったとき、前記各上側舌部がシートカバーを背負った人の肩に載り、かつ前記各下側舌部がシートカバーを背負った人の脇腹に当接するように、前記上側舌部と下側舌部が形成されていると有利である。
【００１０】
また、上記シートカバーが、前記各上側舌部に引き出し可能に収納された一対のベルトと、各上側舌部から引き出された前記各ベルトの先端部を、前記各下側舌部に着脱可能に連結する連結手段とを有し、シートバックから外したシートカバーを背負ったとき、前記連結手段によって、各上側舌部から引き出された各ベルトの先端部を各下側舌部にそれぞれ連結して、該シートカバーを背負った人が当該シートカバーを保持するように構成されていると有利である。
【発明の効果】
【００１１】
本発明によれば、応急手当用の医療用具を収納したシートカバーを、車室内に配置された座席のシートバック背面に離脱可能に配置することができるので、緊急事態の発生時に、車室内において、即座にシートカバーをシートバックから外し、これに収納されていた医療用具を迅速に取り出して負傷者に対する応急手当を施すことができる。
【発明を実施するための最良の形態】
【００１２】
以下、本発明の実施形態例を図面に従って詳細に説明する。
【００１３】
図１は自動車の車室内に配置された座席１と、その座席１に装着されるシートカバー２とを示す斜視図であり、図２はシートカバー２を座席１に装着した状態を示す斜視図である。図１及び図２における矢印Ｆｒは自動車の前進方向を示し、矢印Ｗは、自動車の車幅方向を示している。本明細書における「前」又は「後」なる文言は、自動車の前進方向Ｆｒを基準とした前後を意味する。
【００１４】
図１及び図２に示した座席１は、図示していない着座者の背部を支えるシートバック３と、着座者の尻部を支えるシートクッション４と、着座者の頭部を支えるヘッドレスト５とを有している。図１に示すように、ヘッドレスト５には、一対のステー６が固着され、これらのステー６がシートバック３の上部に形成された取付孔７に差し込まれて、ヘッドレスト５がシートバック３に図２に示したように取り付けられる。このように、座席１のヘッドレスト５に固定されたステー６は、シートバック上部の取付孔７に差し込まれて、ヘッドレスト５をシートバック３の取り付ける用をなす。
【００１５】
図１及び図２に示したシートカバー２は、後述するように応急手当用の医療用具が収容された用具収納部が設けられているカバー本体部８と、そのカバー本体部８から前方に向けて突出した一対の上側舌部９と、同様にカバー本体部８から前方に向けて突出した一対の下側舌部１０とを有している。図１及び図２には、一方の下側舌部１０のみを示してあり、他方の下側舌部１０は図３及び図７に示してある。さらに、シートカバー２は、図１に示すように、各上側舌部９の間の領域に位置していて、その一対の上側舌部９とカバー本体部８とに一体に連結された樹脂シート１１を有している。
【００１６】
上述したシートカバー２を座席１のシートバック３に取り付けるには、図１に示したように、ヘッドレスト５をシートバック３から外した上で、シートカバー２を矢印Ａで示したように、座席１の後方からシートバック３の背面に近づけ、各上側舌部９を、シートバック上部の各取付孔７よりも車幅方向外方の各シートバック上面部分１２にそれぞれ載せると共に、各下側舌部１０を、シートバック３の各車幅方向側面１３に当接させる。このとき、シートバック２の樹脂シート１１も、シートバック３の上面に載せられ、その樹脂シート１１に形成された各貫通孔１４と、シートバック上部に形成された各取付孔７とが整合する。このように整合した各貫通孔１４と各取付孔７に、ヘッドレスト５に固定された各ステー６を挿入して、該ヘッドレスト５を図２に示したようにシートバック３に取り付ける。このようにヘッドレスト５がシートバック３の上部に取り付けられたとき、シートカバー２の各上側舌部９は、取付孔７に差し込まれたステー６よりも車幅方向外方の各シートバック上面部分１２に当接している。
【００１７】
上述のように、本例のシートカバー２は、シートバック上部の取付孔７に差し込まれたヘッドレスト取付用のステ６ーよりも車幅方向外方の各シートバック上面部分１２にそれぞれ当接するようにカバー本体部８から突出した一対の上側舌部９と、シートバック３の車幅方向各側面１３にそれぞれ当接できるようにカバー本体部８から突出した一対の下側舌部１０とを有していて、各上側舌部９が各シートバック上面部分１２にそれぞれ当接し、かつ各下側舌部１０がシートバック３の各側面１３にそれぞれ当接することによって、シートカバー２が図２に示したように、シートバック３に取り付けられる。各上側舌部９がシートバック３の各シートバック上面部分１２上に載り、かつ各下側舌部１０が、シートバック３を挟み付けた状態で、その各側面１３に当接することによって、シートカバー２がシートバック３に保持されるのである。
【００１８】
しかも、本例のシートカバー２は、上側舌部９とカバー本体部８とに一体に連結された樹脂シート１１を有していて、ヘッドレスト取付用のステー６は、樹脂シート１１を貫通して延び、かつシートバック上部の取付孔７に嵌合しているので、シートカバー２は、ステー６によってもシートバック３に対して保持され、シートカバー２の全体がシートバック３に安定した状態に取り付けられる。また、後述するように、シートバック３に取り付けられたシートカバー２を簡単にシートバック３から外すことができる。本例のシートカバー２は、上側舌部９を下側舌部１０と樹脂シート１１によってシートバック３に離脱可能に取り付けられるのである。
【００１９】
上述のように取り付けられたシートカバー２は、そのシートバック３が汚れたり、該シートバック３に傷が付けられることを防止することができる。この点は、従来一般に用いられているシートカバーと同様である。
【００２０】
図３は、図１のIII−III線拡大断面図であり、図４は図１のIV−IV線拡大断面図である。同じく、図５は図１のＶ−Ｖ線拡大断面図である。
【００２１】
図３に示すように、カバー本体部８は、内部が中空に形成され、その内部の中空部が応急手当用の各種の医療用具Ｔを収容する用具収納部１５となっている。医療用具Ｔとしては、救急セット、包帯、消毒薬、ＡＥＤなどが挙げられる。かかる用具収納部１５の後部には、図６にも示すように開口１７が形成されている。また、図６に示すように、カバー本体部８には、簡略化して示したヒンジ１８を介して開閉蓋１６が矢印Ｂ，Ｃ方向に回動開閉可能に枢着されていて、通常は、用具収納部１５の開口１７は、図３に示したように、この開閉蓋１６によって閉鎖されている。このとき、開閉蓋１６の自由端側の先端部は、図１及び図２にも示したように、カバー本体部８に突設された係止突起１９に係合し、開閉蓋１６がその閉位置にロックされている。カバー本体部８と、開閉蓋１６は硬質樹脂により構成されている。
【００２２】
また、図４に示すように、上側舌部９は、カバー本体部８を構成する硬質樹脂と一体に形成された硬質樹脂より成る芯材２０と、その芯材２０のまわりに配置されたクッション材２１と、そのクッション材２１を覆う表皮２２とから構成されている。同じく、図５に示すように、下側舌部１０も、カバー本体部８を構成する硬質樹脂と一体に形成された硬質樹脂より成る芯材２３と、その芯材２３のまわりに取り付けられたクッション材２４と、そのクッション材２４を覆う表皮２５とから構成されている。
【００２３】
前述のように、図１に示したシートカバー２を、座席１の後方からシートバック３の背面に近づけ、該シートカバー２をシートバック３に押し付けると、車幅方向に間隔をあけて位置する一対の下側舌部１０の芯材２３とクッション材２４は、わずかに車幅方向外方に開拡し、その弾性によってシートバック３の各側面１３に圧接する。これにより両下側舌部１０は、シートバック３を挟み付けることができる。
【００２４】
緊急事態の発生時には、図２に示したようにシートバック３に取り付けられたシートカバー２を矢印Ｄで示した後方に引く。これにより、シートカバー２の樹脂シート１１がステー６から受ける外力によって破れると共に、上側舌部９と下側舌部１０がシートバック３から外れる。このように簡単にシートカバー２をシートバック３から外すことができる。次いで、開閉蓋１６に設けられた把手３４を掴んで、その開閉蓋１６を図１に矢印Ｂで示した方向に引っ張ると、開閉蓋１６の先端部が係止突起１９から外れるので、その開閉蓋１６を図６に示したように開き、用具収納部１５の開口１７を開放することができる。このようにして、緊急事態の発生時に、車室内において即座に用具収納部から医療用具Ｔを取り出して、負傷者に対する応急手当を施すことができる。また、通常、シートカバー２はシートバック３の背面に取り付けられて、シートのカバーとして用いられるので、そのシートカバー２が邪魔となることはない。
【００２５】
上述のようにシートカバー２の樹脂シート１１は、シートカバー２がシートバック３に取り付けられているときは、そのシートカバー２をシートバック３に対して保持する働きをなし、シートカバー２をシートバック３から外すときは、その樹脂シート１１がステー６から受ける外力によって容易に破断するので、シートカバー２を確実にシートバック３から外すことができる。シートカバー２をシートバック３の後方側に引いて該シートカバー２をシートバック３から取り外すとき、樹脂シート１１がステー６から受ける外力によって破断するように、その樹脂シート１１の厚さとその材質が設定されているのである。
【００２６】
以上のように、本例の自動車用のシートカバー２は、応急手当用の医療用具Ｔを収容する用具収納部１５を備えていて、車室内に配置された座席１のシートバック３の背面に離脱可能に取り付けられている。ところが、この構成だけであると、自らが運転する自動車以外の自動車が事故を起こしたとき、その負傷者に対して応急手当を施すために、事故車のところに医療用具を運びずらい。そこで、本例のシートカバー２は、これを救助者が背中に背負って容易に運搬できるように構成されている。以下に、これに関する具体例を明らかにする。
【００２７】
自らが運転する自動車以外の自動車が事故を起こし、その事故車の乗員に対して応急手当を施すべきときは、救助者は、それまで図２に示したようにシートバック３に取り付けられていたシートカバー２を前述のようにしてシートバック３から外した上で、図７に示したように、そのシートカバー２を背中に背負う。このとき、シートカバー２の各上側舌部９は、シートカバー２を背負った人Ｐの肩に載り、各下側舌部１０は、シートカバー２を背負った人Ｐの脇腹に弾性的に押し付けられた状態に当接する。上側舌部９と下側舌部１０が、このようにシートカバー２を背負った人Ｐの体に当接するように形成されているのである。
【００２８】
上述した構成により、シートカバー２を負傷者のところに迅速に運び、その負傷者に対する応急手当てを施すことができるが、図示したシートカバー２においては、さらに図７に示すように一対のベルト２７によって、以下に説明するように、シートカバー２をより一層確実に、そのシートカバー２を背負った人Ｐの体に保持させることができる。
【００２９】
図４に示すように、各上側舌部９の内部には、その芯材２０に回転可能に支持された軸２８が収容され、その軸２８には、可撓性を備えたベルト２７の基端部が係止されていると共に、そのベルト２７が軸２８に巻回されている。ベルト２７の自由端部側は、各上側舌部９の開口２９から外部に引き出され、その引き出されたベルト２７の自由端部には、硬質樹脂又は金属より成る止め板３０が固定連結されている。図１及び図２にも示すように、通常は、その止め板３０に形成された取付孔３１が、図４に示したように上側舌部９の芯材２０に突設された係止ピン３２に嵌合し、これによって止め板３０が上側舌部９に保持されている。また、図５及び図７に示したように、下側舌部１０の芯材２３にも、係止ピン３３が突設されている。
【００３０】
緊急事態の発生時に、シートカバー２をシートバック３から外した後、止め板３０の取付孔３１を係止ピン３２から外して、各ベルト２７を図７に矢印Ｅで示したように引っ張る。これにより、ベルト２７は各上側舌部９から引き出される。次いで、シートカバー２を図７に示したように背負うと共に、各止め板３０の取付孔３１を、下側舌部１０の芯材２３に突設された係止ピン３３に嵌合する。これにより、シートカバー２は、これを背負った人Ｐの体にしっかりと保持され、そのシートカバー２を背負った救助者は、両手をフリーな状態にして、シートカバー２を、救助を必要とする人のところに迅速に運んで、応急手当を施すことができる。
【００３１】
各ベルト２７が各上側舌部９内に巻き込まれるように、軸２８を回転付勢するばね（図示せず）を設けておけば、シートカバー２を背から下ろし、止め板３０を係止ピン３３から外せば、自動的にベルト２７を上側舌部９内に巻き込んで収容することができる。
【００３２】
上述した止め板３０と、下側舌部１０に設けられた係止ピン３３は、ベルト２７の先端部を下側舌部１０に着脱可能に連結する連結手段の一例を構成している。
【００３３】
以上のように、本例の自動車用のシートカバー２は、各上側舌部９に引き出し可能に収納された一対のベルト２７と、各上側舌部９から引き出された各ベルト２７の先端部を、各下側舌部１０に着脱可能に連結する連結手段とを有し、シートバック３から外したシートカバー２を背負ったとき、上記連結手段によって、各上側舌部９から引き出された各ベルト２７の先端部を各下側舌部１０にそれぞれ連結して、該シートカバー２を背負った人Ｐが当該シートカバー２をしっかりと保持することができるように構成されている。
【００３４】
本発明に係るシートカバーを、個人の自動車だけでなく、タクシーやバス、或いはパトロールカーなどの公共交通機関に設置すると特に有利である。
【図面の簡単な説明】
【００３５】
【図１】シートカバーをシートバックに取り付ける前の様子を示す斜視図である。
【図２】シートカバーをシートバックに取り付けたときの様子を示す斜視図である。
【図３】図１のIII−III線拡大断面図である。
【図４】図１のIV−IV線拡大断面図である。
【図５】図１のＶ−Ｖ線拡大断面図である。
【図６】開閉蓋を開いたときのシートカバーを示す斜視図である。
【図７】シートカバーを背負ったときの斜視図である。
【符号の説明】
【００３６】
１  座席
２  シートカバー
３  シートバック
６  ステー
７  取付孔
８  カバー本体部
９  上側舌部
１０  下側舌部
１１  樹脂シート
１２  シートバック上面部分
１３  側面
１５  用具収納部
２７  ベルト
Ｐ  背負った人
Ｔ  医療用具
Ｗ  車幅方向
【図１】
2010148601.tif 000003
【図２】
2010148601.tif 000004
【図３】
2010148601.tif 000005
【図４】
2010148601.tif 000006
【図５】
2010148601.tif 000007
【図６】
2010148601.tif 000008
【図７】
2010148601.tif 000009